(57)【要約】【課題】セルロース系フィルタースラッジの減容の処理時間を短縮できる放射性廃棄物の処理方法を提供する。【解決手段】セルロース系の使用済のフィルタースラッジを含むスラリーを、廃棄物貯蔵タンクから混合タンクに移送する（Ｓ１）。混合タンクに水酸化ナトリウム水溶液を供給し、フィルタースラッジを水酸化ナトリウムに接触させる（Ｓ２）。その後、フィルタースラッジを分解タンクに移送し、分解タンクにセルロース分解酵素（例えば、セルラーゼ）を添加する（Ｓ４）。分解タンク内で、フィルタースラッジがセルロース分解酵素の作用によって糖化する（Ｓ５）。分解タンク内に糖分解酵母を添加する（Ｓ６）。糖分解酵母の働きによって、分解タンク内の溶液に含まれる糖をアルコールに分解する（Ｓ７）。加熱装置によって分解タンク内の溶液を加熱し、そのアルコールを蒸発させて分離する（Ｓ８）。【選択図】図１
2014106177.tif 000002
【特許請求の範囲】
【請求項１】
セルロース系フィルタースラッジを含む放射性のスラリーのセルロース系フィルタースラッジに水酸化ナトリウム溶液を接触させ、
前記水酸化ナトリウム溶液に接触された前記セルロース系フィルタースラッジを含むスラリーに、セルロース分解酵素を添加して、前記セルロース系フィルタースラッジに含まれるセルロースを糖化させ、
生成された前記糖を含む溶液に糖分解酵母を添加して前記糖をアルコールに分解し、
前記溶液を加熱して前記溶液に含まれる前記アルコールを蒸発させて分離することを特徴とする放射性廃棄物の処理方法。
【請求項２】
前記セルロース系フィルタースラッジに接触させた前記水酸化ナトリウム溶液を回収し、前記回収された水酸化ナトリウム溶液を、前記セルロース系フィルタースラッジとの接触に再利用する請求項１に記載の放射性廃棄物の処理方法。
【請求項３】
前記セルロース系フィルタースラッジに接触している、前記水酸化ナトリウムを含む溶液の水酸化ナトリウム濃度が１０ｗｔ％〜３０ｗｔ％の範囲内に存在する請求項１または２に記載の放射性廃棄物の処理方法。
【請求項４】
前記セルロース系フィルタースラッジに接触している、前記水酸化ナトリウムを含む溶液の水酸化ナトリウム濃度が２０ｗｔ％〜３０ｗｔ％の範囲内に存在する請求項３に記載の放射性廃棄物の処理方法。
【発明の詳細な説明】
【技術分野】
【０００１】
本発明は、放射性廃棄物の処理方法に係り、特に、フィルタースラッジを含む放射性廃棄物の減容処理に適用するのに好適な放射性廃棄物の処理方法に関する。
【背景技術】
【０００２】
原子力発電プラントの一次系冷却水の浄化において、フィルタースラッジと呼ばれるセルロース系のろ過助材、及びイオン交換樹脂が使用されている。使用済みのセルロース系のろ過助材及び使用済みのイオン交換樹脂は、放射性廃棄物としてタンク内にスラリー状態で貯蔵されている。これらの放射性廃棄物は線量が高いため、タンク内に長期間保管される。しかし、近年の原子力発電プラントの稼動寿命の延長に伴い、タンク内に貯蔵された使用済みのセルロース系のろ過助材及び使用済のイオン交換樹脂が多くなり、タンク貯蔵容量が逼迫してきているとの問題がある。
【０００３】
このため、タンクの貯蔵容量を確保するために、タンク内の放射性廃棄物の減容が求められている。特に、使用済みのフィルタースラッジは、繊維状をしており、単位重量当たりの容積が大きく、タンク内において大きな容積比を占めている。使用済みのフィルタースラッジの減容が大きな課題になっている。
【０００４】
使用済みのフィルタースラッジを処理する方法が、特開昭６１−２７０７００号公報及び特開平３−７１０９８号公報に記載れている。特開昭６１−２７０７００号公報には、原子力発電プラントにおいて発生した使用済みのフィルタースラッジの処理方法を記載している。この処理方法では、使用済みのフィルタースラッジにセルロース分解酵素を作用させて、フィルタースラッジの少なくとも一部を加水分解により液化させ、その後、それに鉄イオン触媒の存在下で過酸化水素を作用させることにより、有機物を酸化分解させている。
【０００５】
特開平３−７１０９８号公報に記載された放射性廃棄物を含むセルロース系フィルタースラッジの処理方法を記載している。この処理方法では、フィルタースラッジに対して、ｐＨ４〜８の水溶性媒体内において、フィルタースラッジの固形分重量の１〜１５％量のセルラーゼを作用させ、大部分のフィルタースラッジが加水分解された液を低レベル放射性廃棄物として処理している。
【０００６】
また、特開平７−５２２３９号公報は、セルロース分解時に、緩衝剤として適量のホウ酸アルカリを添加しｐＨを７付近に保ち、温度１０〜５０℃で分解を促進する処理法を記載している。
【０００７】
特開２０００−１９２９３号公報は、放射性廃棄物の処理方法を記載している。この放射性廃棄物の処理方法では、放射性廃液に含まれている放射性同位元素を吸着体（例えば、放射性同位元素を選択的に吸着する物質または官能器基を担体であるセルロースに結合）に吸着させ、その後、この吸着体を、酵素または水酸化ナトリウムを用いて溶解または分解し、吸着体を小容量化している。
【先行技術文献】
【特許文献】
【０００８】
【特許文献１】特開昭６１−２７０７００号公報
【特許文献２】特開平３−７１０９８号公報
【特許文献３】特開平７−５２２３９号公報
【特許文献４】特開２０００−１９２９３号公報
【発明の概要】
【発明が解決しようとする課題】
【０００９】
しかし、上記した従来のフィルタースラッジの処理方法では、セルロースの酵素分解により生成した糖が残り、放射性物質の減容がまだ不十分である。また、この現用の処理時間を短縮することが望まれる。
【００１０】
本発明の目的は、セルロース系フィルタースラッジの減容の処理時間を短縮することができる放射性廃棄物の処理方法を提供することにある。
【課題を解決するための手段】
【００１１】
上記した本発明の目的を達成する本発明の特徴は、セルロース系フィルタースラッジを含む放射性のスラリーのセルロース系フィルタースラッジに水酸化ナトリウム溶液を接触させ、この水酸化ナトリウム溶液に接触されたセルロース系フィルタースラッジを含むスラリーに、セルロース分解酵素を添加して、セルロース系フィルタースラッジに含まれるセルロースを糖化させ、生成された糖を含む溶液に糖分解酵母を添加して糖をアルコールに分解し、溶液を加熱して前記溶液に含まれるアルコールを蒸発させて分離することにある。
【００１２】
本発明によれば、使用済のセルロース系フィルタースラッジをセルロース分解酵素（によって糖化するので、セルロース系フィルタースラッジを減容することができる。また、セルロース系フィルタースラッジから生成された糖が、糖分解酵母の働きにより、エタノールを主成分とするアルコールに分解され、このアルコールを蒸発させて分離するので、その糖を除去することができ、セルロース系フィルタースラッジをさらに減容することができる。また、本発明では、セルロース系フィルタースラッジにセルロース分解酵素を作用させる前に、セルロース系フィルタースラッジを水酸化ナトリウム溶液に接触させているので、セルロース系フィルタースラッジに含まれるセルロースがセルロース分解酵素により分解しやすくなる。このため、セルロース分解酵素によるセルロースの分解率が向上し、セルロース系フィルタースラッジの減容に要する時間が短縮される。
【発明の効果】
【００１３】
本発明によれば、セルロース系フィルタースラッジの減容に要する時間を短縮させることができる。
【図面の簡単な説明】
【００１４】
【図１】本発明の好適な一実施例である放射性廃棄物の処理方法の工程を示すフローチャートである。
【図２】図１に示された放射性廃棄物の処理方法を実施する放射性廃棄物処理装置の構成図である。
【図３】水酸化ナトリウム水溶液に浸漬したセルロース及び水酸化ナトリウム水溶液に浸漬しないセルロースにおける反応時間とセルロースの分解率の関係を示す特性図である。
【図４】水酸化ナトリウム水溶液の水酸化ナトリウム濃度とセルロースの分解加速倍率との関係を示す特性図である。
【発明を実施するための形態】
【００１５】
発明者らは、セルロース系のフィルタースラッジの減容について種々の検討を行った。セルロース系のフィルタースラッジを含む射性のスラリーに、セルロース分解酵素を添加して、このフィルタースラッジを糖化させ、生成された糖を含む溶液に糖分解酵母を添加してその糖をアルコールに分解し、その溶液を加熱して溶液に含まれるアルコールを蒸発させて分離することにより、セルロース系フィルタースラッジを減容することができる。
【００１６】
発明者らは、セルロース分解酵素及び糖分解酵母を用いてセルロース系フィルタースラッジを減容する際において、セルロース系のフィルタースラッジの減容に要する時間を短縮できないかをさらに検討した。この結果、セルロース系フィルタースラッジを水酸化ナトリウムと接触させた後、例えば、セルロース系フィルタースラッジを水酸化ナトリウムに浸漬させた後、このセルロース系フィルタースラッジにセルロース分解酵素を作用させることによってセルロースの分解率が向上し、セルロース系フィルタースラッジの減容に要する時間を短縮できることを発見した。
【００１７】
この検討結果を以下に説明する。
【００１８】
発明者らは、セルロース系フィルタースラッジを含むスラリーを容器内に入れ、水酸化ナトリウムを濃度が３０ｗｔ％になるようにその容器に添加した。セルロース系フィルタースラッジは、容器内でナトリウム濃度が３０ｗｔ％で室温の水酸化ナトリウム水溶液に浸漬され、その後、５分間、放置された。セルロース系フィルタースラッジを水酸化ナトリウム水溶液から分離した後、セルロース分解酵素であるセルラーゼを、水酸化ナトリウム水溶液から分離されたセルロース系フィルタースラッジのスラリーに添加し、セルラーゼの作用により、セルロース系フィルタースラッジに含まれるセルロースを糖化させた。
【００１９】
水酸化ナトリウム水溶液へのセルロースの浸漬の有無をパラメータにして取得した、その糖化反応であるセルロースの分解率の時間変化を図３に示す。水酸化ナトリウム水溶液に浸漬しなかったセルロースでは、セルラーゼを作用させて５時間が経過したときにセルロースの分解率が約５０％まで上昇したが、その後、セルロースの分解率がゆっくりと上昇し、５０時間が経過してもその分解率は５０％であった。これに対して、水酸化ナトリウムの濃度が２０ｗｔ％である水酸化ナトリウム水溶液に浸漬したセルロースでは、セルラーゼを作用させて約５時間が経過したときに９０％のセルロースが分解し、初期におけるセルロースの分解速度が顕著に上昇することが確認できた。これは、セルロース系フィルタースラッジを、セルロース分解酵素を作用させる前に水酸化ナトリウム水溶液に浸漬させる、すなわち、接触させることにより、セルロース系フィルタースラッジに含まれるセルロースを低分子化させることができ、また、セルロースに付着している不純物（クラッド及び放射性核種等）を溶解洗浄することができ、セルロースがセルロース分解酵素により分解しやすくなったためと考えられる。
【００２０】
水酸化ナトリウム水溶液に浸漬したセルロースにセルラーゼを作用させたときにおけるセルロースの分解速度の変化を、その水酸化ナトリウム水溶液の水酸化ナトリウム濃度をパラメータにして評価した結果を図４に示す。本試験では、水酸化ナトリウム水溶液に浸漬しなかったセルロースの分解速度を１として、セルロースを、室温で５分間、水酸化ナトリウム水溶液に浸漬したときにおけるこのセルロースの分解速度の比である分解加速倍率を評価した。この結果、図４に示すように、水酸化ナトリウム濃度が１０%以上のとき、セルロースの分解加速倍率が著しく増加した。特に、水酸化ナトリウム濃度が２０%以上のとき、セルロースの分解加速倍率が急激に増加した。このため、セルロース系フィルタースラッジに接触させる水酸化ナトリウム水溶液の水酸化ナトリウム濃度は、セルロース系フィルタースラッジに含まれるセルロースの分解効率を考慮したとき、１０ｗｔ％〜３０ｗｔ％の範囲内にすることが望ましい。特に、その水酸化ナトリウム濃度は２０ｗｔ％〜３０ｗｔ％の範囲内にすることが好ましい。水酸化ナトリウム濃度３０ｗｔ％は、水酸化ナトリウムの飽和濃度である。
【００２１】
以上の検討閣下を反映した、本発明の実施例を、以下に説明する。
【実施例】
【００２２】
本発明の好適な一実施例である放射性廃棄物の処理方法を、図１及び図２を用いて説明する。
【００２３】
まず、本実施例の放射性廃棄物の処理方法に用いられる放射性廃棄物処理装置１を、図２に基づいて説明する。放射性廃棄物処理装置１は、水酸化ナトリウム供給タンク３、混合タンク４、脱水器５、分解タンク６、セルロース分解酵素タンク９及び糖分解酵母タンク１０を備えている。スラッジ供給管１１が、廃棄物貯蔵タンク２の底部に接続され、さらに、混合タンク４に接続される。水酸化ナトリウム供給タンク３が供給配管１２により混合タンク４に接続される。混合タンク４は配管１３により脱水機５に接続され、脱水機５に接続された戻り配管１４が混合タンク４に接続される。混合タンク４は脱水機５よりも上方に配置される。脱水機５に接続されたスラリー供給管１５が分解タンク６に接続される。撹拌装置７が分解タンク６内に設置され、加熱装置８が分解タンク６を取り囲んで配置されて分解タンク６の外面に設けられる。セルロース分解酵素タンク９及び糖分解酵母タンク１０が分解タンク６に接続される。移送ポンプ１８が設けられた戻り配管１７が、分解タンク６の底部に接続され、廃棄物貯蔵タンク２にも接続されている。分解タンク６に接続されたベント配管１６がオフガス処理設備（図示せず）に接続される。
【００２４】
原子力発電プラント、例えば、沸騰水型原子力プラントでは、ろ過装置が、原子炉圧力容器内の炉水を浄化する原子炉浄化系に用いられている。具体的には、原子炉浄化系では、炉浄化系配管が原子炉圧力容器に連絡され、ろ過装置が炉浄化系配管に設けられる。このろ過装置は、容器内に設けられたフィルター部材の表面にセルロース系のろ過助剤（以下、フィルタスラッジという）をプリコートしており、原子炉圧力容器から供給される炉水に含まれるクラッド等の不純物を除去している。
【００２５】
沸騰水型原子力プラントの運転が停止されて行われる定期検査の期間中において、原子炉浄化系のろ過装置では、性能が低下して寿命になった使用済のフィルタースラッジがフィルター部材から除去され、新しいフィルタースラッジがフィルター部材にプリコートされる。ろ過装置内でフィルター部材から除去された使用済のフィルタースラッジは、スラリーの状態で、沈降分離槽内に移送される。また、原子炉圧力容器に給水を供給する給水配管に設けられたろ過脱塩装置の逆洗によって生じた粉末イオン交換樹脂のスラリーも、その沈降分離槽に供給される。この沈降分離槽内で、使用済のフィルタースラッジ及び粉末イオン交換樹脂等の固形分が沈降分離される。沈降分離槽内の上澄み水が低電導度廃液処理系で処理される。沈降分離槽内の底部に沈降した使用済のフィルタースラッジ及び粉末イオン交換樹脂等の固形分は、スラリーの状態で廃棄物貯蔵タンク２に移送され、廃棄物貯蔵タンク２内で保管される。
【００２６】
放射性廃棄物処理装置１を用いた、本実施例におけるセルロース系のフィルタースラッジを含む放射性廃棄物の処理方法の例を、図１及び図２を用いて説明する。水酸化ナトリウム供給タンク３には水酸化ナトリウム水溶液が充填されている。セルロース分解酵素タンク９にはセルロース分解酵素の一種であるセルラーゼが充填されており、糖分解酵母タンク１０には糖分解酵母が充填されている。
【００２７】
セルロース系のフィルタースラッジを混合タンク４に移送する（ステップＳ１）。廃棄物貯蔵タンク２内の使用済のフィルタースラッジ及び粉末イオン交換樹脂のスラリー（セルロース系のフィルタースラッジのスラリー）が、所定量、スラッジ供給管１１に設けられたポンプ（図示せず）を駆動することにより、廃棄物貯蔵タンク２の底部からスラッジ供給管１１を通して混合タンク４に供給される。セルロース系フィルタースラッジが水酸化ナトリウム水溶液に接触される（ステップＳ２）。水酸化ナトリウム供給タンク３内の水酸化ナトリウム水溶液が、供給配管１２により、セルロース系フィルタースラッジのスラリーが混合タンク４に供給される。水酸化ナトリウム水溶液は、セルロース系フィルタースラッジが混合タンク４内で水酸化ナトリウム水溶液に浸漬される程度に供給される。水酸化ナトリウム水溶液の供給により、混合タンク４内のセルロース系フィルタースラッジのスラリーの水酸化ナトリウム濃度が、例えば、２０ｗｔ％になる。セルロース系フィルタースラッジが、５分間、混合タンク４内で水酸化ナトリウム水溶液に浸漬され、水酸化ナトリウムと接触される。
【００２８】
本実施例では、セルロース系フィルタースラッジを混合タンク４内で水酸化ナトリウム水溶液に浸漬しているが、水酸化ナトリウム水溶液を水酸化ナトリウム供給タンク３と混合タンク４の間で循環させてもよい。循環する水酸化ナトリウム水溶液が、混合タンク４内のセルロース系フィルタースラッジに接触される。
【００２９】
水酸化ナトリウム水溶液を分離する（ステップＳ３）。配管１３に設けられた開閉弁が開く。混合タンク４内で水酸化ナトリウム水溶液に所定時間浸漬されたセルロース系フィルタースラッジは、水酸化ナトリウム水溶液とともに、重力により、上方の混合タンク４から配管１３を通して下方の脱水機５に供給される。脱水機５が駆動され、脱水機５に供給された水酸化ナトリウム水溶液が分離される。分離された水酸化ナトリウム水溶液は、戻り配管１４に設けられたポンプ（図示せず）を駆動することにより、戻り配管１４を通して混合タンク４に戻される。
【００３０】
セルロース分解酵素を添加する（ステップＳ４）。脱水機５で水酸化ナトリウム水溶液が分離された後、セルロース系フィルタースラッジのスラリーは、脱水機５内のスラリー供給管１５に設けられたポンプ（図示せず）を駆動することにより、スラリー供給管１５を通って分解タンク６に供給される。脱水機５における水酸化ナトリウム水溶液の分離は、脱水機５から分解タンク６へのセルロース系フィルタースラッジの移送を考慮して、水酸化ナトリウム水溶液の一部を残すように行われる。セルロース分解酵素タンク９内に存在する、セルロース分解酵素であるセルラーゼが、例えば、セルロース系フィルタースラッジ固形分の重量の1〜１５％の割合で、分解タンク６内に添加される。撹拌装置７が回転され、使用済のセルロース系フィルタースラッジ及びセルラーゼが分解タンク６内で均一になるように混合される。
【００３１】
セルロース分解酵素であるセルラーゼは、トリコデルマ属の菌またはアクレモニウム属の糸状菌によって生成される。
【００３２】
フィルタースラッジを糖化する（ステップＳ５）。分解タンク６内で使用済のセルロース系フィルタースラッジ及びセルラーゼが混合されることによって、セルロース系フィルタースラッジに含まれるフィルタースラッジ、特に、セルロースが、セルラーゼの作用により糖化される。フィルタースラッジを糖化する間、分解タンク６内のセルロース系フィルタースラッジのスラリーは、例えば、６０℃でｐＨが弱酸性に所定時間保たれる。このスラリーの温度は、加熱装置８による加熱によって調節される。フィルタースラッジが糖化されると、フィルタースラッジに付着していた放射性物質であるクラッドが分解タンク６内でその底部に沈降する。分解タンク６内の粉末イオン交換樹脂は、セルラーゼによって糖化されず、そのまま残っている。
【００３３】
次に、糖分解酵母が添加される（ステップＳ６）。分解タンク６内の使用済のセルロース系フィルタースラッジが糖化された後、糖分解酵母が糖分解酵母タンク１０から分解タンク６内に添加される。糖分解酵母はイースト菌などの酵母である。本実施例では、糖分解酵母として、サッカロミセス属やシゾサッカロミセス属を用いても良い。セルロース系フィルタースラッジの糖化によりクラッドが沈降するため、セルロース系フィルタースラッジの糖分を含む分解タンク６内の溶液の放射能レベルが低下する。この状態で、糖分解酵母が添加される。糖分解酵母を均一に分布させるために、撹拌装置７が回転されている。糖分解酵母の分解タンク６内の糖分を含む溶液への添加は、セルロース分解酵素の添加と同時でもよい。
【００３４】
糖をアルコールに分解する（ステップＳ７）。糖分解酵母が存在する状態で、分解タンク６内のセルロース系フィルタースラッジの糖分を含む分解タンク６内の溶液の温度が、例えば、３５℃〜４０℃の範囲内に調節され、その溶液のｐＨが弱酸性に保持される。糖分解酵母の働きにより、溶液に含まれる糖がエタノールを主成分とするアルコールに分解される。生成されるアルコールの大部分がエタノールである。分解タンク６内の粉末イオン交換樹脂は、糖分解酵母によっても変化せず、そのまま残っている。
【００３５】
分解タンク６内でほとんどの糖がアルコール（例えば、エタノール）に分解された後、アルコールを蒸発分離する（ステップＳ８）。分解タンク６内のアルコール（例えば、エタノール）を含む溶液を加熱装置８によって加熱し、その溶液の温度をエタノールの沸点である７８℃以上、例えば、９０℃まで上昇させる。溶液の加熱温度は、７８℃以上にすることが望ましいが、１００℃以上になると水蒸気が多量に発生するため、１００℃未満にすることが望ましい。その加熱によって溶液に含まれたアルコール、例えば、エタノールが、蒸発し、溶液から分離される。エタノールの蒸気は、分解タンク６ベント配管１６を通してオフガス処理設備に導かれる。このエタノールの蒸気は、十分に希釈され、安全性を確認した後に、大気中に放出された。エタノールの蒸発後に分解タンク６内に残った、フィルタースラッジ分解残渣、糖分解残渣及び粉末イオン交換樹脂を含む溶液は、放射性廃棄物であり、移送ポンプ１８を駆動することによって戻り配管１７を通して廃棄物貯蔵タンク２に戻される。フィルタースラッジ分解残渣、糖分解残渣及び粉末イオン交換樹脂を含む溶液は、廃棄物貯蔵タンク２の上端部より廃棄物貯蔵タンク２内に戻される。
【００３６】
その後、ステップＳ１〜ステップＳ８の各処理が、放射性廃棄物処理装置１を用いて繰り返し行われる。それぞれのステップＳ１では、廃棄物貯蔵タンク２の底部から取り出された使用済のフィルタースラッジ及び粉末イオン交換樹脂のスラリーが、混合タンク４に移送される。廃棄物貯蔵タンク２から混合タンク４内に移送された新たなセルロース系フィルタースラッジは、混合タンク４内に供給され、混合タンク４内に存在する、脱水機５で分離された水酸化ナトリウム水溶液内に浸漬される（ステップＳ２）。脱水機５から混合タンク４に戻された水酸化ナトリウム水溶液の量だけでは不足する場合には、水酸化ナトリウム供給タンク３から混合タンク４に水酸化ナトリウム水溶液が補給される。ステップＳ１〜ステップＳ８の各処理を繰り返すことによって、廃棄物貯蔵タンク２内の使用済のフィルタースラッジが、順次処理されてアルコールになり、このアルコールが蒸発により分離される。本実施例は、以上のようにして、廃棄物貯蔵タンク２内の使用済の全フィルタースラッジを処理することができる。
【００３７】
本実施例によれば、使用済のセルロース系フィルタースラッジをセルロース分解酵素（例えば、セルラーゼ）によって糖化するので、セルロース系フィルタースラッジを減容することができる。また、セルロース系フィルタースラッジから生成された糖が、糖分解酵母の働きにより、エタノールを主成分とするアルコールに分解され、このアルコールを蒸発させて分離するので、実質的に生成された糖を除去することができ、セルロース系フィルタースラッジをさらに減容することができる。この結果、廃棄物貯蔵タンク２内の放射性廃棄物の容積を約１／２に減容することができる。また、蒸発したエタノールは希釈することにより外部の環境に放出することができ、本実施例の放射性廃棄物の処理方法により二次廃棄物が発生しない。
【００３８】
本実施例では、セルロース分解酵素（例えば、セルラーゼ）を作用させる前に、セルロース系フィルタースラッジを水酸化ナトリウムに接触させるので、セルロース系フィルタースラッジに含まれるセルロースが、低分子化され、また、セルロースに付着している不純物（クラッド及び放射性核種等）が溶解洗浄されることにより、セルロース分解酵素により分解しやすくなる。このため、セルロース分解酵素によるセルロースの分解率が向上し、セルロース系フィルタースラッジの減容に要する時間が短縮される。
【００３９】
本実施例では、ステップＳ３において脱水機５で水酸化ナトリウム水溶液を分離しているので、分離された水酸化ナトリウム水溶液を、再利用することができ、混合タンク４内で新たに供給されたセルロース系フィルタースラッジに接触させることができる。このため、水酸化ナトリウム供給タンク３内の水酸化ナトリウム水溶液の使用量を低減することができる。
【００４０】
本実施例では、水酸化ナトリウム濃度を１０ｗｔ％以上にしているので、セルロースの分解加速倍率が大幅に増大してセルロースの分解速度が速くなり、同じ量のセルロース系フィルタースラッジを処理する放射性廃棄物処理装置１を小型化することができる。
【符号の説明】
【００４１】
１…放射性廃棄物処理装置、２…廃棄物貯蔵タンク、３…水酸化ナトリウムタンク、４…混合タンク、５…脱水機、６…分解タンク、８…加熱装置、９…セルロース分解酵素タンク、１０…糖分解酵母タンク。
【図１】
2014106177.tif 000003
【図２】
2014106177.tif 000004
【図３】
2014106177.tif 000005
【図４】
2014106177.tif 000006